(57)【要約】【課題】  一つのカウンター用の成形体から幅寸法の異なる複数種類の樹脂製カウンターが形成できる。【解決手段】  裏面３側にリブ７ａ〜７ｈを有するカウンター用の成形体４を切断することにより形成される樹脂製カウンターであって、リブ７ａ〜７ｈは成形体の奥行き方向２６に沿って設けられるとともに、成形体の幅方向２８に複数設けられ、複数のリブ７ａ〜７ｈは洗面ボール１２を挟んで左右で等しい数となるように設けられ、複数のリブ７ａ〜７ｈの内、洗面ボール１２を挟む二つのリブの外側壁面位置で切断することにより形成される。【選択図】              図１
2005253599.tif 000002
【特許請求の範囲】
【請求項１】
裏面側にリブを有するカウンター用の成形体を切断することにより形成される樹脂製カウンターであって、前記リブは前記成形体の少なくとも奥行き方向に沿って設けられるとともに、前記成形体の幅方向に複数設けられ、該複数のリブのうち二つのリブを選んで該リブの外側壁面位置で切断することにより形成されてなる樹脂製カウンター。
【請求項２】
請求項１において、前記成形体は、表面側に開口する洗面ボールを有し、前記複数のリブは該洗面ボールを挟んで左右に設けられ、前記二つのリブは前記洗面ボールを挟む位置にある樹脂製カウンター。
【発明の詳細な説明】
【技術分野】
【０００１】
本発明は、住宅や事務所などに備えられる樹脂製カウンターに係り、特に洗面化粧台に好適な樹脂製カウンターに関するものである。
【背景技術】
【０００２】
生活様式の多様化とともに樹脂製カウンターも多様化、高級化の傾向にあり、これに対応できるものが求められている。多様化、高級化の表われとして、樹脂製カウンターのサイズ、特に幅寸法が小のものから大のものまで人それぞれの価値観に応じて所望のものが求められている。
【０００３】
ところで、従来の樹脂製カウンターとしては、たとえば特許文献１に開示されたものが知られている。この樹脂製カウンターは、所定寸法の幅に切断された成形体を、この切断端部に対して僅かに離してガラス体を立設し、さらにこのガラス体に対して所定の間隔をおいて堰を配置し、これらによって形成された隙間に成形収縮性の小さい樹脂組成物を注入して硬化させ、側面エプロンを形成したものである。
【０００４】
また、別の樹脂製カウンターとして、側面エプロン部分が実質上水平となるようにカウンター成形体を立てた状態とするとともに、この側面エプロン部分の周縁に沿って囲いを設ける。そしてこの囲いの内部に流動状態のゲルコート材料を流し込んでこれを硬化させ、ゲルコート層を成形するものである（特許文献２）。
【特許文献１】特開平５−５０４４７号公報
【特許文献２】特開平６−２４６７５５号公報
【発明の開示】
【発明が解決しようとする課題】
【０００５】
上記従来の樹脂製カウンターは、一つの成形型から所定の大きさの成形体を形成する。この成形体から、その側面エプロンを形成することにより、またはこの成形体の端面処理を行うことにより樹脂製カウンターを製造するものである。しかし、複数の大きさの異なる樹脂製カウンターを製造する場合には、上記従来の樹脂製カウンターは、その製造が煩雑となるおそれがあった。
【０００６】
本発明の課題は、一つのカウンター用の成形体から幅寸法の異なる複数種類の樹脂製カウンターが形成できることである。
【課題を解決するための手段】
【０００７】
本発明は、裏面側にリブを有するカウンター用の成形体を切断することにより形成される樹脂製カウンターであって、リブは成形体の少なくとも奥行き方向に沿って設けられるとともに、成形体の幅方向に複数設けられ、複数のリブのうち二つのリブを選んで該リブの外側壁面位置で切断することにより形成されてなることを特徴とする。
【０００８】
このようにすることにより、リブはカウンター用の成形体の幅方向に複数設けられ、かつ少なくとも奥行き方向に沿って形成される。これら複数のリブのうちの二つのリブを選んで、このリブの外側壁面位置で切断することにより、選定した二つのリブ間の幅を有する樹脂製カウンターを形成できる。さらに、リブは複数設けられるので、カウンター用の成形体を複数成形することにより、一つの成形体の形状から複数種類の樹脂製カウンターを形成できる。
【０００９】
さらに、成形体は、表面側に開口する洗面ボールを有し、複数のリブはこの洗面ボールを挟んで左右に設けられ、二つのリブは洗面ボールを挟む位置にあると良い。このようにすることにより、複数のリブのうち、洗面ボールを挟んで二つのリブを選び、これらのリブの外側壁面位置で切断することにより、複数種類の洗面化粧台用の樹脂製カウンターを形成できる。
【００１０】
次に本発明を構成する各要件についてさらに詳しく説明する。本樹脂製カウンターは、洗面室をはじめ、台所、浴室などのカウンター用として利用可能なものである。樹脂製カウンターの奥行き方向は、成形体の正面側から背面側に向かう方向である。また、樹脂製カウンタの幅は、正面から見て、左右方向の寸法である。
【００１１】
成形体の形状は、平面視略矩形状で上面は略平坦である。横断面形状は、特に限定されないが、成形体の背面側（壁側）に段部を設け、段部の裏面側に先の複数のリブを設けると良い。こうすると段部の剛性を高めることができるとともに、段部にミラーキャビネットを置くことができるし、ミラーキャビネットの中央部分を壁側に凹ませることにより段部の中央部分を用品の置き台として使用できる。成形体の正面から見た幅寸法は、形成したい最も大きい幅の樹脂カウンターに対応させて決める。
【００１２】
成形体の材質は、ポリエステル系樹脂、不飽和ポリエステル系樹脂、アクリル系樹脂、ビニルエステル系樹脂,エポキシ系樹脂などの各種合成樹脂で、各種無機充填剤、顔料、架橋剤などを含有させても良く、人工大理石としても良い。
【００１３】
リブの数は、形成したい樹脂カウンターの種類数に応じて設けられる。リブの位置は、形成したい樹脂カウンターの幅に応じて成形体に形成する。リブの形状は、奥行き方向に設けられるリブが形成されれば特に限定されないが、リブの内側には任意の幅方向リブを設けても良い。リブは、成形体の強度を補強し剛性を高めるとともに、リブの外側壁面で切断されたときに樹脂製カウンターの側面の一部（側面エプロン）を形成する。
【００１４】
樹脂製カウンターに洗面ボールを設ける場合は、成形体の表面に開口するように設けられる。洗面ボールの位置は、成形体の略中央位置や、中央より片側に偏った位置などに設けられる。また、洗面ボールは成形体と一体的に形成されても良いし、別途形成した洗面ボールを成形体に取り付けても良い。複数のリブは、この洗面ボールを挟んで左右の裏面側に設けられ、かつ奥行き方向に設けられる。
【００１５】
また、洗面ボールの左側に設けられるリブの数と、洗面ボールの右側に設けられるリブの数は同じでなくても良く、相違しても良い。左右のリブを洗面ボールに対して左右対称に設け、かつリブのピッチを等しく設ける場合は、左勝手と右勝手の樹脂製カウンターが簡便に形成できる。
【発明の効果】
【００１６】
本発明によれば、カウンター用の成形体を複数準備し、任意の二つリブの外側壁面位置で切断することにより、幅寸法の異なる複数種類の樹脂製カウンターを形成でき、樹脂製カウンターの生産効率を向上させることができる。
【発明を実施するための最良の形態】
【００１７】
以下、本発明に係る樹脂製カウンターの最良の形態を図面に基づいて詳細に説明する。なお、図１〜８において、同一または同等部分には同一符号を付けて示す。
【実施例１】
【００１８】
図１は、本発明に係る樹脂製カウンターの成形体を示す平面図である。図２は、図１の成形体の正面図である。図３は、図１の成形体の右側面図である。図４は、図１におけるＡ−Ａ線断面図である。本実施例の樹脂製カウンター１（図５に示すもの）は、洗面室に設置される洗面化粧台に使用されるものである。
【００１９】
樹脂製カウンター１は、図１〜４に示す成形体４を切断することにより形成される。すなわち、成形体４の裏面３側に奥行き方向２６に形成されるリブ７ａ〜７ｈの内で、洗面ボール１２を挟む任意のリブの外側壁面（符号８ａ〜８ｈで示す）で切断することにより形成される。
【００２０】
洗面ボール１２は、成形体４の幅方向２８中央の表面側に開口し、一体的に形成される。さらに、成形体４の背面側には段部２２を有する。段部２２の洗面ボール１２に対応する中央部分には水切りの役目をするバックガード２５（２点鎖線）が設けられ、バックガード２５の前部２３は洗面用具などの用品置き台として利用される。また、成形体４の前面には幕板１１が形成されている。
【００２１】
段部２２の両側部２４はミラーキャビネットなどを載置しても良い。因みに、洗面ボール１２には、排水口１４、シャワーヘッド取り付け用の孔１６、水栓取り付け用の孔１８、鎖取り付け用の孔１８およびオーバーフロー用の孔２０（図２）を有する。
【００２２】
リブ７ａ〜７ｈは、成形体４の奥行き方向２６に沿って段部２２の裏面側に設けられるとともに、成形体の幅方向２８に対して複数設けられる。さらに、リブ７ａ〜７ｈは、洗面ボール１２を挟み左右対称に設けられる。樹脂製カウンターは、これら複数のリブ７ａ〜７ｈのうちの任意の二つ、たとえばリブ７ａ、７ｂの外側壁面８ａ、８ｂ位置で切断することにより形成される。
【００２３】
したがって、この成形体４からは、幅Ｗ１、Ｗ２、Ｗ３、Ｗ４の左右対称の樹脂製カウンターが４種類形成できる。もちろん、下記のように樹脂製カウンターは左右対称でなくても良い。幅寸法の例としては、たとえばＷ１＝９００ｍｍ、Ｗ２＝１２００ｍｍ、Ｗ３＝１６５０ｍｍ、Ｗ４＝１８００ｍｍなどとする。
【００２４】
樹脂製カウンターは、左右対称でなくても良く、左右非対称のものも形成することができる。たとえば、リブ７ａとリブ７ｄ、リブ７ａとリブ７ｆ…など数十種類の樹脂製カウンターを形成できる。また、成形体４から最も大きい幅Ｗ４の樹脂製カウンターを加工する場合、成形体４の幅を幅Ｗ４よりも大きくしておき、成形体４の両端側を切断しても良いし、成形体の幅を略幅Ｗ４として切断しないで加工しても良い。樹脂製カウンター１は、切断面をエッジ処理とゲルコート仕上げを行うことにより形成される。
【００２５】
リブ７ａ〜７ｈの横断面形状は、断面矩形の板状であるが、リブ７ａ〜７ｈの内側には任意の図示していない幅方向リブが設けられても良い。リブ７ａ〜７ｈは、成形体４の強度を補強し剛性を高めるとともに、リブ７ａ〜７ｈの外側壁面８ａ〜８ｈで切断されたときに樹脂製カウンターの側面の一部を形成する。
【００２６】
成形体４の材質は、ポリエステル系樹脂、不飽和ポリエステル系樹脂、アクリル系樹脂、ビニルエステル系樹脂,エポキシ系樹脂などの各種合成樹脂で、各種無機充填剤、顔料、架橋剤などを含有させて人工大理石とする。これら合成樹脂の表面にはゲルコート材を塗布し、研磨して艶出し処理を行う。
【００２７】
図５は、図１〜４に示す成形体から形成された樹脂製カウンターを示し、（ａ）は平面図、（ｂ）は正面図である。樹脂製カウンター１は、図１〜４に示した成形体４において、リブ７ａ、７ｂの外側壁面８ａ、８ｂ位置で奥行き方向２６に切断し、その切断面９を先に記した仕上げ処理をしたものである。このようにして形成された樹脂製カウンター１の幅はＷ１である。
【００２８】
図５においては幅Ｗ１の樹脂製カウンター１を形成する例であるが、幅Ｗ２の場合はリブ７ｃ、７ｄの外側壁面８ｃ、８ｄ位置で、幅Ｗ３の場合はリブ７ｅ、７ｆの外側壁面８ｅ、８ｆ位置で、幅Ｗ４の場合は切断しないでリブ７ｇ、７ｈをそのまま利用することにより形成される。切断した後には、その切断面の仕上げ処理をすることはもちろんである。
【００２９】
以上の構造を有する樹脂製カウンター１は、次のように作用する。すなわち、図１において、リブ７ａ〜７ｈは、成形体の幅方向２８に対して洗面ボール１２を挟んで左右等しい数となるように形成され、かつ少なくとも奥行き方向２６に沿って形成されるので、洗面ボール１２を挟む左右対称の二つのリブの外側壁面位置で切断することにより、これらのリブのリブ間の幅を有する左右対称の洗面化粧台用の樹脂製カウンター１を形成できる。
【００３０】
さらに、リブ７ａ〜７ｈは複数設けられるので、カウンター用の成形体４を複数成形することにより、左右対称の複数種類の樹脂製カウンター１を形成できる。また、任意の二つのリブの外側壁面位置で切断することにより、左右非対称の複数種類の洗面化粧台用の樹脂製カウンター１を形成できる。
【００３１】
図６は、図５に示す樹脂製カウンター１を利用した洗面化粧台Ｐの正面図である。図７は、図６における右側面図である。図５に示す樹脂製カウンター１を利用した洗面化粧台Ｐは、集合住宅や個別住宅の一般用あるいは事務所、理髪店や美容院などの業務用として利用可能である。
【００３２】
洗面化粧台Ｐは、洗面ボール１２を有する樹脂製カウンター１と、この樹脂製カウンター１を支えるキャビネット３１と、樹脂製カウンターの段部２２に載置されるとともに壁５０（図７）に固定されるミラーキャビネット３６とを備える。さらに、洗面化粧台Ｐは、ミラーキャビネット３６の上に設けられる照明装置４２と、この照明装置の上に配置されるウォールキャビネット４４とを備える。
【００３３】
キャビネット３１は、樹脂製カウンター１を支持する支持体であるとともに、引出し３２を設けて洗面用具その他の用品を収納できるようにする収納庫でもある。キャビネットの前面３３位置は、樹脂製カウンターの前端１０よりも内側（奥側）に位置するが、その距離は足のつま先が樹脂製カウンター１の突出部分の下に位置することができるように設定される。
【００３４】
樹脂製カウンターの幕板１１は、キャビネット３１の上部前面を覆うもので平板状である。幕板１１の下に引出し３２が設けられる。引出し３２の前面と幕板１１の前面は、面一に形成される。
【００３５】
ミラーキャビネット３６は、所定の距離をおいて配置される二つのキャビネット３７と、これらを連結し中央に位置する背面板３８とを有する。二つのキャビネット３７および背面板３８の前面には鏡が設けられる。キャビネット３７の前面にはミラー扉４０が取り付けられ、背面板３８には中央鏡３９が固定される。さらに、二つのキャビネット３７の下には、それぞれ別の扉４１を有する。中央鏡３９の表面位置は、段部２２の後側でバックガード２５の上に位置するので、二つの扉４１の間の段部２２に用品を置くことができる。ミラーキャビネット３６の上部には下方を照射可能な照明装置４２が設けられる。
【００３６】
さらに、ミラーキャビネット３６の上にはウォールキャビネット４４が設けられる。ウォールキャビネット４４は、各種物品を収納するもので、前面に開閉扉４５が設けられ、内部には固定棚が設けられる。照明装置４２の前側先端位置とウォールキャビネット４４の前面位置とは略一致する。
【実施例２】
【００３７】
図８は、本発明に係る樹脂製カウンターの別の成形体５を示す平面図である。実施例２の成形体５は、その裏面側に奥行き方向２６に形成されるリブ７ａ〜７ｈを有する。リブ７ａとリブ７ｂ、リブ７ｃとリブ７ｄ、リブ７ｅとリブ７ｆおよび７ｇと７ｈは、それぞれ対として形成され、洗面ボール１２の中央線１３に対して左右対称である。さらに、リブ７ａ、７ｃ、７ｅ、７ｇ間の距離（ピッチ）Ｐ１、Ｐ２、Ｐ３は等しい。同様に、リブ７ｂ、７ｄ、７ｆ、７ｈ間の距離（ピッチ）Ｐ１、Ｐ２、Ｐ３についても等しく、左右の距離（ピッチ）Ｐ１、Ｐ２、Ｐ３は皆等しい。
【００３８】
このように形成することにより、幅がＷ１、Ｗ２、Ｗ３、Ｗ４で洗面ボールが中央に位置する左右対称の樹脂製カウンターが形成できる。さらに、幅がＷ１、Ｗ２、Ｗ３、Ｗ４で洗面ボールが中央に位置しないで、左右どちらかに偏った非対称の樹脂製カウンターも形成できる。リブ間の距離（ピッチ）Ｐ１、Ｐ２、Ｐ３を等しくすることにより、所定の幅を有する左右対称の樹脂製カウンターが簡便に得られるとともに、所定の幅を有する左勝手と右勝手の樹脂製カウンターが簡便に得られる。図８における成形体５において、その他の部分の構造と作用は、図１〜４に示した成形体４と同じであるのでその説明を省略する。
【００３９】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００４０】
本発明の樹脂製カウンターは、洗面室、台所、浴室、その他の部屋あるいは各種什器などのカウンターとして利用可能である。
【図面の簡単な説明】
【００４１】
【図１】本発明に係る樹脂製カウンターの成形体を示す平面図である。
【図２】図１の成形体の正面図である。
【図３】図１の成形体の右側面図である。
【図４】図１におけるＡ−Ａ線断面図である。
【図５】図１〜４に示す成形体から形成された樹脂製カウンターを示し、（ａ）は平面図、（ｂ）は正面図である。
【図６】図５に示す樹脂製カウンターを利用した洗面化粧台の正面図である。
【図７】図６における右側面図である。
【図８】本発明に係る樹脂製カウンターの別の成形体を示す平面図である。
【符号の説明】
【００４２】
１  樹脂製カウンター
２  表面
３  裏面
４、５  成形体
７ａ〜７ｈ  リブ
８ａ〜８ｈ  外側壁面
１２  洗面ボール
２２  段部
２６  奥行き方向
２８  幅方向
Ｗ１〜Ｗ４  樹脂製カウンターの幅
【図１】
2005253599.tif 000003
【図２】
2005253599.tif 000004
【図３】
2005253599.tif 000005
【図４】
2005253599.tif 000006
【図５】
2005253599.tif 000007
【図６】
2005253599.tif 000008
【図７】
2005253599.tif 000009
【図８】
2005253599.tif 000010